(57)【要約】      （修正有）【課題】ゴルフボールを常に身近に保持することが出来るボール容器とボール清拭用器とを兼ねたボール用払拭具を提供する。【解決手段】伸縮性を有する布帛Ｆ或いは網状体よりなる筒状体３の環状上端開口周縁４を、伸張した状態でゴルフボール６の外径より大なる内径を有するよう環状リング５に固定し、前記筒状体の下端開口周縁は、自然状態で縮少した際の内径がゴルフボールの外径より小としてなり、伸縮性を有する布帛は、織地，経緯編地のいずれかであり、織地，経緯編地にあっては適宜本数の緯入糸ごとに伸縮性を有する糸を用い、作られた伸縮性生地に複数の点状透孔を設けてある。【選択図】図１
0003139848.tif 000002
【実用新案登録請求の範囲】
【請求項１】
伸縮性を有する布帛或いは網状体よりなる筒状体の環状上端開口周縁を、伸張した状態でゴルフボールの外径より大なる内径を有するよう環状リングに固定し、前記筒状体の下端開口周縁は、自然状態で縮少した際の内径がゴルフボールの外径より小としてなることを特徴とするゴルフボールの携帯を可能にしたボール払拭具。
【請求項２】
下端開口縁を含む筒状体の下部はその上位部に比して収縮性を高くし非伸長時の内径を小としたことを特徴とする請求項１記載のゴルフボールの携帯を可能にしたボール払拭具。
【請求項３】
伸縮性を有する布帛は適宜本数の緯糸ごとに弾性糸を打ち込んでなる織布よりなることを特徴とする請求項１記載のゴルフボールの携帯を可能にしたボール払拭具。
【請求項４】
伸縮性を有する布帛は適宜コースごとに弾性糸を編み込んでなる丸編地よりなることを特徴とする請求項１記載のゴルフボールの携帯を可能にしたボール払拭具。
【請求項５】
伸縮性を有する布帛は、複数の点状透孔を有する経編地よりなることを特徴とする請求項１記載のゴルフボールの携帯を可能にしたボール払拭具。
【考案の詳細な説明】
【技術分野】
【０００１】
本考案は、ゴルフのプレー中にゴルフボールを必要に応じ直ちに使用出来る範囲に携帯すると共に、当該ゴルフボールを汚れの無いように払拭することを可能にしたゴルフボール用携帯払拭具である。
【背景技術】
【０００２】
ゴルフプレーの際には、しばしボールを見失い或いは傷を付ける等により新ボールを必要とする場合が多い。またボールが汚れ、それを払拭して使用する必要も生ずる。そのため常に必要なときに新ボールを取り出せるようにボールを身辺に携帯出来、かつ、ボール払拭が出来るものが好ましい。
【０００３】
そのような目的で筒状体よりなる容器中にスポンジパット等の清拭部材を入れスポンジパットに水性洗剤を含浸させたもの（特許文献１）、或いは筒状容器の内面にブラシを設け、筒状体容器内にゴルフボールを入れブラシで清掃するもの（特許文献２）などがアルガ、容器内にボールを入れ清拭と共にボールの保持も可能な点は良いとしても筒状容器内で落とされた土や芝草の細片等は容器内に蓄積されてその処理に手間を要すことになり、かつ、容器からボールを取り出すのにも蓋を取り出したりの手間を要するものであった。  
【特許文献１】実開昭５９−１５４２８４号公報
【特許文献２】実公昭６１−４５９６５号公報
【考案の開示】
【考案が解決しようとする課題】
【０００４】
本考案は上記の点に鑑みて、常に身近に保持することが出来るボール容器とボール清拭用器とを兼ねたボール用払拭具を得ることを目的とし、該ボール用払拭具は、筒状体をなしベルト通し等に係止した布帛よりなる筒状体にボールを入れることでボールを清拭し、かつ、ボールから取り去った異物は布帛の生地の目から落下し器具内には残らず、筒状体の布帛生地は伸縮性を有しており、縮少時の径がボールの径より小であるため、ボールを筒状体内で支え、筒状体内から落下させずに保持可能で、ボールを取り出し使用する際には、筒状体をしごくような操作をすることで筒状体内のボールを筒状体下端から絞り出すことで容易に取り出し得るようにした。
【課題を解決するための手段】
【０００５】
本考案ゴルフボール用携帯払拭具は、伸縮性を有する布帛或いは網状体よりなる筒状体の環状上端開口周縁を、伸張した状態でゴルフボールの外径より大なる内径を有するよう環状リングに固定し、前記筒状体の下端開口周縁は、自然状態で縮少した際の内径がゴルフボールの外径より小としてなり、伸縮性を有する布帛は、織地，経緯編地のいずれかであり、織地，経緯編地にあっては適宜本数の緯入糸ごとに伸縮性を有する糸を用い、作られた伸縮性生地に複数の点状透孔を設けてある。
【考案の効果】
【０００６】
本考案のゴルフボール払拭具は、ボールを携帯し或いは払拭しようとする際には、常態にあってはボールの外径より短い内径となり、更に筒状体の下部はその上部より収縮性を高くした非伸長時の内径を小としたためにボールを携帯しようとする際は前記径を縮少した部分の生地でボールが押さえられて筒状体内でボールの落下を阻止されてボールは筒状体内に安定して保持され、かつ、ボールを取り出す際には筒状体内の最下位のボールを絞り出すような動作で筒外に排出すれば良く、ボールの保持取り出しが極めて素早く容易に行うことが出来る。
【０００７】
ボール表面を清拭する際は、より内径を縮少している筒状体内に、ボールを押し込むことにより、ボール保持時と同様に筒状体は内径を拡大し内径を拡大していない筒状体生地によってボール表面がスクイズされボール表面に付着した土，草切れ等の異物を取り去り生地の透孔又は下端開口から筒状体外に排出する。
【考案を実施するための最良の形態】
【０００８】
本考案ゴルフボールの携帯を可能にしたボール払拭具の最良の形態を図面と共に説明する。
図１は、ボール払拭具１の一部切除した状態を示す正面図で、ボール払拭具１を腰のベルト通しなどに吊り下げるための吊り具２に吊り下げた状態を示している。ボール払拭具１は布帛Ｆで作られた筒状体３よりなり、筒状体３の上端開口周縁４は折り返し折り返した部分内に補強環５を挿入している。補強環５は、ボール支持具１を携帯するための吊り具２の取り付け用として用いられる他、筒状体３の上端開口周縁４の内径を規制するためのもので、ゴルフボール６が通過することの出来る内径としている。
【０００９】
筒状体３は編地，織地，網地等で作ることが出来る。編地による場合、編み上がりの生地の非伸長状態の内径がゴルフボールの外径よりも小で伸長時その径がボール直径より大となる丸編地を用いるのが好ましい。丸編地を使用すれば編地を筒状に縫製する必要がなく製造上の手間を省けるが、シリンダー径等で適合する編機がない場合平編地を編成し、編成後筒状に縫製する。当該筒状体３の丸編地の上端開口周縁４を補強環５に綴じ付ける。この際、丸編地の上端縁は拡張され、筒状の丸編地内に上端開口周縁４を通してゴルフボール６を筒状体３内に挿入することを可能にする。
【００１０】
上記丸編地は、上端開口周縁４から下端開口周縁７まで均一な伸縮性を持つ編地としても差し支えないが、ボール６を複数個筒状体３内に挿入した際に下部ボール程落下し易いことになるので、それを防止するために図３に示す如く筒状体３の下端開口周縁７に近い生地程内周方向の収縮力を高めるために、編地編成時、弾性糸を多く給糸し最強収縮性生地部８としても良い。上記弾性糸は、生地と引き揃えて編地の適宜コースに編み込んでも或いはループを構成せず編地緯方向に流し込んでも良い。収縮性の強弱により編み込む弾性糸のコース数を変更する。
【００１１】
上記編地を使用した筒状体の場合、編地の組織によっては生地の適所に透孔を設けることが出来る。例えば生地全体に細かい透孔を有する生地として、緯編地のアイレット経編地のハーフトリコットなどに限らず透孔を適宜散らして設けることにより、ボール払拭時にボールから落とした異物が容易に筒状体３外に放出することが出来、かつ、透孔のため通気性を生じ、ボールを乾いた状態に保つことが出来るようにしている。
また、織布を用いた場合、布地を通過して筒状体３の外部に取り出される異物は少なく筒状体３の下端開口周縁７から外部に落下することになる。
筒状体３に網地を使用した場合には最も効果的に筒外に異物を排出出来る。
また、筒状体３を構成する布帛及び網地は伸縮性の糸を用いて編織したものが伸縮性の点で好ましいと考えられる。
【００１２】
本考案ボール払拭具１は、図１，２に示す例では，ボール収容時のボール保持のために筒状体の内径が均一に縮小する方向の弾性を有しているが、図４に示す如く筒状体３の周壁の断面がＷ字の連続となるような蛇腹型形状とすることも出来る。この例では筒状体３内面とボール６表面との接触面積が少ないためにボール面から落とした土等が再度ボール表面に付着することが少なく、かつ、該空間の存在によりボール表面の乾燥にも役立っている。
本考案ボールの払拭具１は、上記構造をなしているが、予備のボール６を適宜数筒状体３内に押し込んで携帯することが出来ると共に、汚れたボールを上端開口から筒状体内に押し込むことによって筒状体３とボール６との接触によるスクイズ効果でボール表面から異物が取り除かれ筒状体下端開口周縁７から筒外に放出さる。
【００１３】
また、織布による筒状体の場合、その内面にフエルト等の吸湿性シート状体を貼り付けることで汚物の払拭作用効果を高めることも可能である。
更に、落ちにくい汚れの場合ボール払拭具全体を水洗することも可能である。
【産業上の利用可能性】
【００１４】
本考案ボール払拭具は、汚損したボールの清浄化を行う他、全く清浄の目的に使用することなくゴルフプレー中に必要な各種小物等を収納し、身近にそれらを携帯することを可能にしている。
【図面の簡単な説明】
【００１５】
【図１】本考案ボール払拭具の一部切除した状態の正面図。
【図２】図１のII−II線断面図。
【図３】ボールを入れない状態での下端開口縁部分に最強収縮性生地部を設けたボール払拭具の正面図。
【図４】筒状体の他の例の一部切除した縦断面図。
【符号の説明】
【００１６】
１  ボール払拭具
２  吊り具
３  筒状体
４  上端開口周縁
５  補強環
６  ゴルフボール
７  下端開口周縁
８  最強収縮性生地部
Ｆ  布帛
【図１】
0003139848.tif 000003
【図２】
0003139848.tif 000004
【図３】
0003139848.tif 000005
【図４】
0003139848.tif 000006